(57)【要約】【課題】移動体通信端末のメールデータを通信ネットワーク上のデータベースに蓄積・編集し、製本化するシステムを提供する。【解決手段】システム利用者１は移動体通信端末２のメール転送先としてシステム管理会社指定のメールアドレス３を設定し、システム利用者１が送受信したメールはデータベースサーバ４を通して記憶装置５に転送され、記憶される。システム利用者１は移動体通信端末２からメールデータの編集作業ができ、記憶装置５に一定量のメールデータが蓄積された場合、データベースサーバ４からシステム利用者１に製本可能の旨が連絡され、システム利用者１から製本するという旨が返信された場合、データベースサーバ４は記憶装置５からシステム利用者１のメールデータを取り出し出力サーバ６へ送る。出力サーバ６によりメールデータは出版製本可能な状態へと自動変換される。【選択図】図１
2005025520.tif 000002
【特許請求の範囲】
【請求項１】
通信ネットワークを介して逐次受信・送信されるメールおよびメールに添付されたデータを記憶手段に蓄積するデータベースサーバと、通信ネットワークに接続された移動体通信端末によるシステム利用者およびシステム利用者からの注文情報に従って一定量のメールおよびメールに添付されたデータを前記記憶手段に蓄積されたデータに基づいて出版製本する出力サーバとを具備してなるメール出版システム。
【請求項２】
前記データベースサーバは、前記メールをメールデータとして、また、前記メールに添付されたデータを添付データとして、システム利用者が移動体通信端末により通信ネットワークを介して前記データベースサーバに前記メールデータおよび添付データを転送する毎に前記記憶装置に蓄積し、前記出力サーバは、前記メールデータおよび添付データを読み出して自動的に製本可能なデータに変換し、出版製本することを特徴とする請求項１記載のメール出版システム。
【請求項３】
前記データベースサーバは、前記メールデータおよび前記添付データを、システム利用者ごとに別々に前記記憶装置に蓄積し、システム利用者の移動体通信端末により通信ネットワークを介して編集可能な状態で管理することを特徴とする請求項２記載のメール出版システム。
【請求項４】
前記メール出版物の出版製本部数は、システム利用者から注文された部数であることを特徴とする請求項１ないし３のいずれかに記載のメール出版システム。
【請求項５】
前記メール出版物に印刷する文字の並び方向の様式は、縦書きおよび横書きのいずれも可能で、システム利用者によって選択可能であることを特徴とする請求項１ないし４のいずれかに記載のメール出版システム。
【請求項６】
前記メール出版物に印刷する文字の大きさは、システム利用者が選択できるように構成されていることを特徴とする請求項１ないし５のいずれかに記載のメール出版システム。
【請求項７】
前記メール出版物の印刷色は、モノクロおよびカラーのうちからシステム利用者が選択できるように構成されていることを特徴とする請求項１ないし６のいずれかに記載のメール出版システム。
【請求項８】
前記メール出版物の印刷用紙の種類は、システム利用者が選択できるように構成されていることを特徴とする請求項１ないし７のいずれかに記載のメール出版システム。
【請求項９】
メール出版物に印刷したメールデータおよび添付データを記憶し、以後に同一人が購入するメール出版物には、前回購入のメール出版物への掲載分以降に前記記憶装置に蓄積されたメールデータおよび添付データを印刷するように構成されていることを特徴とする請求項１ないし８のいずれかに記載のメール出版システム。
【請求項１０】
メール出版物の印刷ページ数を、印刷するメールデータおよび添付データの分量と印刷文字の大きさとから計算し、印刷ページ数が予め定められた所定ページ数を越える場合には、分冊することを特徴とする請求項１ないし９のいずれかに記載のメール出版システム。
【請求項１１】
分冊する場合、各冊のページ数がほぼ同じになるように分冊することを特徴とする請求項１０記載のメール出版システム。
【請求項１２】
購入者の購入履歴データを蓄積し、メール出版物の印刷に際し、システム利用者の購入履歴データを参照し、初回出版分から書名を表示することに併せて出版順に巻数を表示すると共に、分冊のときにも、各分冊子を巻数に数えて巻数を表示することを特徴とする請求項１０または１１記載のメール出版システム。
【請求項１３】
前記出力サーバは、前記メールデータを印刷可能な状態に自動変換することを特徴とする請求項２ないし１２のいずれかに記載のメール出版システム。
【請求項１４】
前記自動変換は、メールに画像データが添付されている場合、添付されている画像データを印刷可能な状態に変換するということが含まれることを特徴とする請求項１３記載のメール出版システム。
【請求項１５】
前記添付データは、システム利用者がメール出版物に載せるかどうか一つ一つ選択できることを特徴とする請求項２ないし１４のいずれかに記載のメール出版システム。
【請求項１６】
前記メール出版物に印刷するデータは、前記自動変換されたメールデータおよび添付データ、予め登録された登録データ、印刷時に前記メールデータから生成する生成データからなることを特徴とする請求項１３ないし１５のいずれかに記載のメール出版システム。
【請求項１７】
前記登録データは、システム利用者が自身のメール出版物全てに共通して用いる第１の登録データと、出版毎に変更することができる第２の登録データからなることを特徴とする請求項１６記載のメール出版システム。
【請求項１８】
前記第１の登録データは、システム利用者に関するデータであることを特徴とする請求項１７記載のメール出版システム。
【請求項１９】
前記第２の登録データは、システム利用者が自身のメール出版物に掲載を希望するデータであることを特徴とする請求項１７または１８記載のメール出版システム。
【請求項２０】
前記第２の登録データは、メール出版物の書名とシステム利用者名とシステム利用者の掲載を希望するコメントの組み合わせであることを特徴とする請求項１７ないし１９のいずれかに記載のメール出版システム。
【請求項２１】
前記第２の登録データは、システム利用者が自身の端末から編集可能であることを特徴とする請求項１７ないし２０のいずれかに記載のメール出版システム。
【請求項２２】
前記生成データは、目次または索引であることを特徴とする請求項１６記載のメール出版システム。
【請求項２３】
前記目次は、各メールデータの題名と受信・送信日時とからなり、メール出版物の印刷対象となるメールデータから題名および受信・送信日時を読み出して目次を生成することを特徴とする請求項２２記載のメール出版システム。
【請求項２４】
前記索引に掲載する単語を著者が予め著者登録単語として登録し、メール出版物の印刷時に、前記著者登録単語の索引および登録単語掲載のページ数を生成することを特徴とする請求項２２記載のメール出版システム。
【請求項２５】
システム利用者が自身の蓄積データを検索し、前記蓄積データの中に含まれるメールデータのタイトルまたは受信・送信日時または本文をシステム利用者の端末に一覧表示し、その中からシステム利用者が選択したメールデータの編集・削除を可能としたことを特徴とする請求項１ないし２４のいずれかに記載のメール出版システム。
【請求項２６】
メールデータの蓄積量が新たなメール出版物として出版可能になったとき、前記システム利用者に出版可能の旨を連絡し、システム利用者の任意によりメールデータを出版することができる、請求項１ないし２５のいずれかに記載のメール出版システム。
【請求項２７】
システム利用者の任意により本以外の記録媒体にメールデータおよび添付データを記録することを特徴とした請求項１ないし２６に記載のメール出版システム。
【請求項２８】
前記の記録媒体は、フレキシブルディスクおよびＣＤロム、ＤＶＤなどの電磁記録媒体および、印刷を介して紙媒体および衣服などの媒体に記録する事を含む請求項２７に記載のメール出版システム。
【発明の詳細な説明】
【０００１】
【発明の属する技術分野】
本発明は通信ネットワークを介してやりとりされるメールをまとめて本にして出版したり、一定期間内にやりとりされるメールをまとめて定期的に出版されるシステムに関する。
【０００２】
【従来の技術】
移動体通信端末に保存してある一定量のメールを出版製本しようとした場合に、従来の技術では、
・移動体通信端末でメールを送受信する際に、移動体通信事業社のサービスを利用しパーソナルコンピュータに転送する。
そしてメールが移動体通信端末からパーソナルコンピュータに転送された後に、・パーソナルコンピュータ上にてメールのテキスト編集を行う。
・各移動体通信事業社で使用されている絵文字データは通常の状態ではパーソナルコンピュータでは表示できないので、移動体通信端末からパーソナルコンピュータに転送されてきたメールの中の絵文字の文字列データを、パーソナルコンピュータ上で絵文字に再構成する。
・画像等の添付データを編集する。
・メールデータ及び添付データを出版製本用にレイアウトする。
そしてパーソナルコンピュータ上での作業が終了した後に、
・製本会社を選択する。
・製本会社と製本時の紙質、及び素材、用紙サイズ、レイアウトを打ち合わせをし発注する。
・製本が完了し、製本会社の依頼による配送業者により本が発送される。
いう工程となる。
【０００３】
【課題】
従来の技術には、以下のような課題がある。
・移動体通信端末のみでは一定量のメールを出版製本する事が困難であり、一定量のメールを出版製本する場合にはパーソナルコンピュータ等の他媒体が必要となる。
・移動体通信端末はメールの保存量に限界があるため、送受信を行ったメールすべてを保存しておくことができない。
・移動体通信端末の機種変更を行った場合、保存していたメールデータを移行することができない。
・各移動体通信事業社で使用されている絵文字データは、通常パーソナルコンピュータで表示することが出来ない。
・パーソナルコンピュータ他記録媒体上でのメールデータ管理に労力を要する。
・製本会社の選別基準が明確でない。及び選別に対する時間がかかる。
・編集作業には、専門的な知識が必要となる。及び編集作業に付随する労力は甚大である。
・製本会社にメールデータ受け渡しの際に記録媒体が必要となる。
・通常時製本会社に個人単位もしくは小部数で依頼する場合にかかる製本代金は莫大である。
・製本依頼をする際、製本会社と打ち合わせをする労力が生じる。
・小部数の製本依頼を受諾しない製本会社が多い。
・本に使用する紙質の選択が自由でない製本会社が多い。
・一連の工程の完遂には多大な時間を要する。
【０００４】
【課題を解決する為の手段】
請求項１の発明により、転送されたメールデータおよびメールに添付された添付データを記憶手段に蓄積し、メール出版システム利用者（のちシステム利用者）の依頼によりその蓄積されたメールデータおよび添付データに基づいて出版製本する。製本が完了して出来上がった本は、直接システム利用者に送られる。このような一連の工程の自動化により、システム利用者の労力及び製本代金を大幅に減少し、一連の工程を簡潔にする事が可能である。
【０００５】
請求項２の発明によれば、メールデータと添付データをシステム利用者別で蓄積するので、システム利用者は各自のメールデータの管理を容易に行うことができる。そして、出版の際には出力サーバにより自動的にメールデータを製本可能なデータに変換するので、システム利用者のメールデータの編集にかかる労力を大幅に減少する事が可能である。また、システム利用者は、製本会社にメールデータを受け渡す際の記録媒体の必要性を省略することが可能である。
【０００６】
請求項３の発明によれば、システム利用者はメールデータおよび添付データを移動体通信端末によりインターネットを介して編集することが可能である。これにより、システム利用者はパーソナルコンピュータ等の他媒体を使用しなくても出版製本が可能となる。
【０００７】
請求項４の発明によれば、メール出版物は、システム利用者の注文部数だけ印刷製本するので、システム利用者は小部数の製本依頼を受諾してくれる製本会社を探す労力を省くことが可能である。
【０００８】
請求項５の発明によれば、メール出版物の文字の並び方向についての様式は、システム利用者の希望によるので、システム利用者の読み易い様式にすることができる。通常、パーソナルコンピュータの文章をプリンタで印刷する場合、横書きで行われる。これは、基本的には、当初パーソナルコンピュータのシステムが英文字を印刷することを考慮して作られたシステムであったことによるもので、多くの書籍が横書きで製作されている。横書きが良いと思われるのは、自然科学に関する書籍であり、その方が数式を容易に表現できる。しかし、通常の日本語文章は、新聞がそうであるように縦書きの方が読み易い。そこで、システム利用者が選択できるようにしたのである。この発明により、システム利用者のメールデータの編集作業に付随する労力を軽減する事が可能である。
【０００９】
請求項６の発明によれば、メール出版物の印刷文字の大きさをシステム利用者が選択できるようにしたので、例えば小さい文字が読み難い人にとっては、大きな文字で印刷でき、読み易いものとすることができる。この発明により、システム利用者のメールデータの編集作業に付随する労力を軽減する事が可能である。
【００１０】
請求項７の発明によれば、メール出版物の印刷色をシステム利用者が選択できるので、メールに添付された添付データにカラー写真などが使用されている場合、カラー印刷を選択すれば、美しく、見易い本にすることができる。しかし、カラー印刷はモノクロ印刷に比べてコスト高となる。そこで、メール出版物の出来栄えとコストの双方を考えて、印刷色を選択できるようにしたのである。この発明により、システム利用者のメールデータの編集作業に付随する労力を軽減する事が可能である。
【００１１】
請求項８の発明によれば、メール出版物を印刷する紙の種類をシステム利用者が選択できる。書籍を印刷する紙は、高価な紙、低価格の紙が存在する。例えば、新しい材料から製作した紙か、再生材料を多く含む紙かによって価格は異なる。高価な割に低品質であるが、自然保護、環境保護に役立つ再生紙を選択するか、安くて高品質の新紙を用いるか、高価であるが薄くても裏側に映らない紙か、低価格であるが厚い紙かはシステム利用者が選択できる。これにより、システム利用者自身による本に使用する紙質の選択が可能となる。
【００１２】
請求項９の発明によれば、メール出版物が購入されると、その中に掲載された最新のメールを記憶し、以後、同一のシステム利用者がメール出版物を購入する際には、前回の購入分の中の最新のメール以降のメールを印刷対象とするので、前回のメール出版物に記載されたものと同じ内容の記事が今回購入のメール出版物にも重複して掲載されるという不具合の発生を防止できる。これによりシステム利用者のメールデータの管理にかかる労力を軽減させる事が可能である。
【００１３】
請求項１０の発明によれば、メール出版物のページ数が多くなる場合には、分冊を行うので、適切な分量の書物とすることができる。請求項１１の発明によれば、分冊を行う場合には、各冊子のページ数がほぼ同じになるように分冊を行うので、各冊子を適切な分量の書物とすることができる。請求項１２の発明によれば、システム利用者が発行したメール出版物に通し番号がつくので、各冊子の管理の労力を軽減することが可能である。以上により、システム利用者のメールデータの編集作業および管理に付随する労力を減少する事が可能である。
【００１４】
請求項１３の発明によれば、受信したメールは出力サーバにより製本可能な状態に自動編集されて蓄積されるので、そのままの状態で出版製本することができる。請求項１４の発明によれば、メールに添付されている添付データは出力サーバにより製本可能な状態に自動編集されて蓄積されるので、そのままの状態で出版製本することができる。以上により、システム利用者のメールデータの編集作業に付随する労力を減少する事が可能である。
【００１５】
請求項１５の発明によれば、システム利用者がそれぞれのメールデータに添付されている添付データをメール出版物に載せるかどうか一つ一つ選択することが可能となる。これによりシステム利用者のメールデータの編集作業に付随する労力を軽減する事が可能である。
【００１６】
請求項１６の発明によれば、メール出版物に印刷するデータは予め登録する登録データ以外には自動編集されるので、システム利用者は出版製本の際にメールデータを出版製本用に編集する必要がなくなる。請求項１７の発明によれば、システム利用者は出版する本に、メールデータ以外にも必要な事項を印刷することができる。これによりシステム利用者のメールデータの編集作業に付随する労力を減少する事が可能である。
【００１７】
請求項１８の発明によれば、複数のメール出版物を出版する場合、著者略歴のような共通するデータについては初回に登録するだけなので、出版毎に登録する作業を省略することが可能である。これによりシステム利用者のメールデータの編集作業に付随する労力を軽減する事が可能である。
【００１８】
請求項１９の発明によれば、システム利用者はメール出版物を出版毎に、掲載したいデータを各メール出版物に掲載することが可能である。これによりシステム利用者のメールデータの編集作業に付随する労力を軽減する事が可能である。
【００１９】
請求項２０の発明によれば、システム利用者はメール出版物を出版毎に、掲載したいメール出版物の書名とシステム利用者名とシステム利用者の掲載を希望するコメントを各メール出版物に掲載することが可能である。以上により、システム利用者のメールデータの編集作業に付随する労力およびメールデータ管理に付随する労力を軽減する事が可能である。
【００２０】
請求項２１の発明によれば、メール出版物の書名とシステム利用者名とシステム利用者の掲載を希望するコメントを、システム利用者は自身の移動体通信端末から編集することができる。この編集により、より内容に合致した書名やコメントを掲載することができる。また、システム利用者名についても、ペンネームや仮名などを登録することによってメール出版物毎に著者名を使い分けることも可能となる。これにより製本会社と打ち合わせをする労力を軽減することが可能である。
【００２１】
請求項２２の発明によれば、出力サーバはメールデータから目次、索引を自動生成するので、システム利用者が目次や索引を編集する労力を省略できる。これによりシステム利用者のメールデータの編集作業に付随する労力を軽減する事が可能である。
【００２２】
請求項２３の発明によれば、目次を、各メールデータの題名と受信・送信日時とから構成し、出力サーバで自動的に各メールデータの題名と受信・送信日時を読み出して目次を生成するので、システム利用者が目次を編集する労力を省略できる。これによりシステム利用者のメールデータの編集作業に付随する労力を軽減する事が可能である。
【００２３】
請求項２４の発明によれば、索引に掲載すべき単語を著者が選択できるので、著者がキーワードであると認識した単語を索引に掲載することが可能となる。また、索引に掲載された単語がどのページに記載されているかも自動生成される。これによりシステム利用者のメールデータの編集作業に付随する労力を軽減する事が可能である。
【００２４】
請求項２５の発明によれば、システム利用者は移動体通信端末によって自身のメールデータを一覧で参照・編集・削除ができる。これによりシステム利用者はパーソナルコンピュータ等の他媒体を使用しなくても出版製本が可能となる。
【００２５】
請求項２６の発明によれば、各システム利用者のメールデータの蓄積量が出版製本可能な一定量に到達したとき、データベースサーバにより各システム利用者に自動的に出版可能の旨を連絡する。これによりシステム利用者は自ら蓄積されたメール数を確認する必要がなくなり、メールデータ管理に要する労力を軽減することが可能である。
【００２６】
請求項２７の発明によれば、本以外の記録媒体にメールデータを記録することができる。これにより製本という手段以外で、送受信を行ったメールすべてを保存しておくことが可能となる。
【００２７】
請求項２８の発明によれば、システム利用者の任意により、ＣＤロムやフレキシブルディスク、ＤＶＤ、紙媒体、衣服などの本以外の記録媒体にメールデータを記録することができる。これにより製本という手段以外で、送受信を行ったメールすべてを保存しておくことが可能となる。
【００２８】
【発明の実施の形態】
以下、本発明の一実施例を図面を参照しながら説明する。
［全体の構成］
図１は本発明のメール出版システムを実現するための全体図を示す。
まず、移動体通信端末２を用いてシステム管理会社が運営するＷＥＢサイトを閲覧した人は任意によりメール出版システムに会員登録をし、システム利用者１となる。メール出版システムのデータベースサーバ４によりシステム利用者１はＩＤとパスワードを割り当てられ、システム利用者１は自身の移動体通信端末２を用いてシステム管理会社が運営するＷＥＢサイトにアクセスし、ＩＤとパスワードを入力して会員ページにログインし、メールの転送先としてシステム管理会社指定のメールアドレス３を指定する。逐次システム利用者１がやりとりしているメールはシステム管理会社指定のメールアドレス３を通してデータベースサーバ４に送られ、システム利用者１ごとに分別されて記憶装置５に蓄積される。システム利用者１は自身の移動体通信端末２を用いて、システム管理会社が運営するＷＥＢサイトを通して４データベースサーバにアクセスし、自身のメールデータ・添付データおよび製本の際に必要となる製本用データを編集することができる。記憶装置５に蓄積されたメールが一定量に達したとき、データベースサーバ４からシステム利用者１に製本可能の旨が連絡され、システム利用者１から製本依頼の返答が戻ってきたとき、その連絡を受けたデータベースサーバ４は記憶装置５から依頼を受けたシステム利用者１のメール出版用データを取り出し、出力サーバ６に送る。出力サーバ６はメール出版用データを印刷可能な状態に自動変換し、システム利用者１別に保存する。システム管理会社は出力サーバ６により自動変換が完了したメール出版用データを製本会社に送り製本作業を経て、製本が完了した本は配送業者によりシステム利用者１の元へ届けられる。この一連の工程の流れは図２のようになる。
【００２９】
［コンピュータネットワークシステムの構成］
次に、システム管理会社が管理するメール出版システムのコンピュータネットワークシステムについて説明する。システム管理会社が管理するメール出版システムのコンピュータネットワークシステムを図３に示す。
ＷＥＢサイト１５を含むＷＷＷサーバ１４は、データベースサーバ４とデータの送受信を行う。この送受信するデータとは、システム利用者１から送られたデータおよび記憶装置５から取り出したデータを指す。この送受信に関しては、データベースサーバ４の会員管理データベース１６に登録されているユーザーのみしか行えないようにするために、会員管理データベース１６の中に会員認証システムを設け、この会員認証システムに許可されたシステム利用者１のみがデータの送受信を行えることとなる。この会員認証のために、会員管理データベース１６は、新規でシステム利用者１となった人には逐次ＩＤとパスワードを割り当てる。データベースサーバ４は、システム利用者１から転送されたメールデータおよび添付データをシステム利用者別に振り分け、それぞれを記憶装置５に転送する。記憶装置５の中の各システム利用者１ごとに分かれたデータ１８はメールデータ１９、添付データ２０、製本用データ２１、印刷済みデータ２２からなる。また、システム利用者１が自身のデータ１８を編集する場合にはＷＥＢサイト１５からデータベースサーバ４にアクセスし、会員認証１７を経て、データベースサーバ４がシステム利用者１のデータ１８を吸い上げ、ＷＥＢサイト１５上に表示することにより、編集可能とする。システム利用者１のメールデータ１９の数が一定量に到達した場合、記憶装置５はデータベースサーバ４にメールが一定量に到達した旨を送り、それを受けたデータベースサーバ４はメール送受信機能１７によりシステム利用者１にメールが一定量に到達した旨を連絡する。また、メール送受信機能１７によりデータベースサーバ４がシステム利用者１からの製本依頼のメールを受けた場合、データベースサーバ４はそのメールからシステム利用者の情報を取り出し、その情報をもとにシステム利用者１のデータ１８を記憶装置５から取り出し、出力サーバ６へ転送する。出力サーバ６に転送されたデータ１８は印刷用に自動変換２３され、データ１８中の製本用データ２１をもとに目次と索引が自動生成２４され、システム利用者ごとに格納２５される。そして、出力が完了した旨をシステム管理会社にメールにより連絡する。
【００３０】
［メール出版システムのＷＥＢサイトを閲覧する人とＷＥＢサイトの構成］
次に、移動体通信端末２を用いてメール出版システムのＷＥＢサイト１５を閲覧する人とメール出版システムのＷＥＢサイト１５との構成を図４に示す。
移動体通信端末２によるパケット通信２６により、ＷＷＷサーバ１４上のＷＥＢサイト１５にアクセスすると、最初に表示されるページは図４のメニュー２７の項目となる。このメニューの中の会員登録の項目を選んだ場合、閲覧する人は自身の詳細な情報を入力、および規約に同意できた場合、メール出版システムのシステム利用者１となることができる。新規にシステム利用者１となった人およびすでにシステム利用者１となっている人は、会員様ログインのページで自身に割り当てられたＩＤとパスワードを入力することにより、会員用ページ２８にログインすることができる。会員用ページ２８はメールデータの編集２９、個人情報の変更３０、製本用データの編集３１、過去製本データの照会３２からなる。システム利用者は各項目を移動体通信端末２から操作することにより、データベースサーバ４から各項目に対応した自身のデータを送受信３３し、編集することが可能である。
【００３１】
［データベースサーバの構成］
次に、データベースサーバ４の働きの詳細を図５に示す。データベースサーバ４の働きは、会員データの管理３９、記憶装置と送受信４０、システム利用者とのメールの送受信４１、出力サーバへの送信４２の４つである。
会員データの管理３９とは、各システム利用者１の会員番号や会員氏名・会員連絡先などを管理する機能である。また、ＷＥＢサイト１５の閲覧者およびシステム利用者１からの会員登録・退会３５の連絡があった場合に、会員登録があった場合にはＷＥＢサイト１５の閲覧者にＩＤとパスワードを割り当て、ＷＥＢサイト１５の閲覧者の詳細な情報を会員データとして登録する働きと、退会の連絡があった場合には、会員データの中からそのシステム利用者１のデータを消去する働きを含む。
記憶装置と送受信４０とは、システム利用者１からのメールデータ転送３６があった場合には記憶装置５にメールデータを送信し、システム利用者１がＷＥＢサイト１５を通してメールデータ・添付データ・製本用データ編集３７をする場合にはそのシステム利用者１のデータ１８を記憶装置５から取り出したり送ったりし、システム利用者１からの製本依頼３８があった場合には、そのシステム利用者１のデータ１８を記憶装置５から取り出す機能である。
システム利用者とのメールの送受信４１とは、システム利用者１のメールデータ１９が一定量に達した時にシステム利用者１にメール出版物製本可能の旨をメールにより連絡する機能と、システム利用者から送られた製本依頼のメールを受信する機能を指す。
出力サーバへの送信４２とは、製本依頼があったシステム利用者１のデータ１８を記憶装置５より取り出し、出力サーバ６へ転送する機能を指す。
【００３２】
［出力サーバの構成］
次に、出力サーバ６の働きの詳細を図６に示す。出力サーバは、システム利用者のメールデータ・添付データ・製本用データ・会員情報４３がデータベースサーバ４から送られてから機能する。出力サーバの働きは、メールデータの自動編集４４、添付データの自動編集４５、製本用データ４６・会員情報４７の格納、目次・索引の自動生成２４、これらの作業を経て出来上がったデータを会員ごとに別々に保存する機能４９、の５つである。
メールデータの自動編集４４とは、システム利用者のメールデータ１９を、印刷できる状態に自動的に編集する機能である。自動的に編集とは、移動体通信端末２より送られてきたメールデータはメールヘッダーの部分など印刷には不要な部分があるので、これらを削除したり、また、メールデータは暗号化されて送られてくるので、これをエンコーディングし、プレーンなテキストの状態にしたりする事を指す。
添付データの自動編集４５とは、添付データが画像・写真でない場合には削除する作業の事を指す。
製本用データ４６・会員情報４７の格納とは、製本の際に必要となる製本用データ４６と会員情報４７のデータを格納する機能を指す。
目次・索引の自動生成２４とは、システム利用者１のメールデータ１９の日付・曜日・時間・タイトル部分を抜き出して一覧にまとめて目次とする機能と、システム利用者１自身が登録した、製本用データ２１に含まれる索引登録単語をもとに索引が作成される機能を指す。なお、索引登録単語が登録されていない場合には索引っは作成されない。
そして、この４つの作業を経て出来上がったデータはシステム利用者１ごとに別々に保存される。
【００３３】
［メール出版システムのＷＥＢサイトを閲覧する人のＷＥＢサイトにおける流れ］
次に、メール出版システムのＷＥＢサイトを閲覧する人のＷＥＢサイトにおける流れを図７に示す。メール出版システムのＷＥＢサイトにアクセスした閲覧者は、会員登録の際に規約を読む。規約に同意５０した閲覧者は、自身の氏名・連絡先などの個人情報を入力５１する。これで会員登録は完了し、閲覧者はパスワード・ＩＤを割り当てられ５２、システム利用者１となる。システム利用者１は会員認証ページでＩＤとパスワードを入力することにより会員ページへログインし、製本する際に必要となるメールデータを逐次メール出版システムに転送するために、メール転送先設定画面にてメールの転送先にシステム管理会社指定のメールアドレス３を指定する。次に、製本の際に必要となる製本用データを編集５５するかどうかを選択し、「編集する」を選んだ場合には製本用データを入力５６する。
【００３４】
［製本用データを編集する際の流れ］
次に、システム利用者１が自身の製本用データ２１を編集する際の流れを図８に示す。まずシステム利用者１はメール出版システムのＷＥＢサイト１５にアクセスし、会員ページ２８へのログインを経て製本用データの編集３１を選択する。次に、メール出版物の表紙の色を選択５７する。次に、メール出版物の表紙の模様を選択５８する。次に、メール出版物のタイトルを選択５９する。次に、メール出版物に印刷するペンネームを入力６０する。次に、メール出版物中に記載する序文を入力６１する。次に、メール出版物の巻末に記載する索引に必要な索引登録単語を入力６２する。そして、全ての項目の選択・入力が完了したら製本確認画面６３へ飛び、今までに選択・入力した項目の確認をする。今までに選択・入力した項目の修正をする場合には、前へ戻る。今までに選択・入力した項目の確認をし終えたら本以外の媒体に記録するかどうかの問い６４があり、「製本する」の項目を選んだ場合にはデータベースサーバ４に製本依頼が出され、製本処理へ６５移行する。「本以外の媒体に記録」を選んだ場合は、メール出版用データはフレキシブルディスク・ＣＤＲＯＭなどの媒体に記録される。
【００３５】
［メール出版用データとメール出版物の対応］
次に、メール出版用データ６７とメール出版物６９の対応について図９に示す。まず、製本用データ２１に含まれる文字の方向・紙の種類・表紙の色・表紙の模様などのデータをもとに、製本業者により、横書き用７０や縦書き用７１などの本が選別される。そして、目次・索引のデータ６８・メールデータ１９・添付データ２０・製本用データ２１から成るメール出版用データ６７は図９のようにメール出版物６９に反映される。製本用データ２１に含まれるタイトル７２やペンネーム７３も図９のようにメール出版物６９に反映される。
【００３６】
［メール出版システムＷＥＢサイトのトップページの画面］
メール出版システムＷＥＢサイトのトップページの画面７４を図１０に示す。システム利用者１は、会員様ログイン、会員登録・退会、サービス案内、ＦＡＱ、料金案内、利用規約、お問い合わせからなるメニュー２７から任意の項目を選択することができる。
【００３７】
［メール出版システムＷＥＢサイトの会員登録の画面］
メール出版システムＷＥＢサイトの会員登録の画面７５を図１１に示す。システム利用者１は利用規約に目を通し、規約に同意５０するかどうかを選択することができる。
【００３８】
［メール転送先をシステム管理会社の指定アドレスへ設定する画面］
システム利用者１が所持する移動体通信端末２により、メール転送先をシステム管理会社が指定するアドレス３へ設定する画面７６を図１２に示す。システム利用者１は、システム管理会社側が指定するメールアドレス３をメールの転送先に設定する。
【００３９】
［メール出版システムＷＥＢサイトの会員認証の画面］
メール出版システムＷＥＢサイトの会員認証の画面７７を図１３に示す。システム利用者１はシステム管理会社から割り当てられたＩＤとパスワードを入力し、会員認証８をする。
【００４０】
［メール出版システムＷＥＢサイトの会員用ページのトップページの画面］
メール出版システムＷＥＢサイトの会員用ページのトップページの画面７８を図１４に示す。画面にはシステム利用者名と記憶装置５に保存されているメールデータ１９の数が表示され、システム利用者１は、メールデータの編集２９、個人情報の変更３０、製本用データの編集３１、過去製本データの照会３２のメニュー２８の中から任意の項目を選択することができる。
【００４１】
［メール出版システムＷＥＢサイトの会員用ページのメールデータ編集画面］
メール出版システムＷＥＢサイトの会員用ページのメールデータ編集画面７９を図１５に示す。システム利用者１は記憶装置５に保存されている、日付・時間別に一覧になった自身のメールデータ１９を参照することができる。システム利用者１は、各メールデータを選択し、このメールを消去する、このメールを保護する、このメールを編集する、コメントを編集する、のメニューの中から任意の項目を選択することができる。
【００４２】
［メール出版システムＷＥＢサイトの会員用ページの個人情報の変更画面］
メール出版システムＷＥＢサイトの会員用ページの個人情報の変更画面８０を図１６に示す。システム利用者は、自身の住所、氏名、連絡先などを変更することができる。
【００４３】
［メール出版システムＷＥＢサイトの会員用ページの製本データ編集画面］
メール出版システムＷＥＢサイトの会員用ページの製本データ編集画面８１を図１７に示す。システム利用者１は自身の製本用データ２１を編集することができる。システム利用者は、表紙の色、模様、タイトル、ペンネーム、序文、索引などのメニューの中から任意の項目を編集することができる。
【００４４】
［メール出版システムＷＥＢサイトの会員用ページの製本データ編集画面の２ページ目］
メール出版システムＷＥＢサイトの会員用ページの製本データ編集画面の２ページ目８２を図１８に示す。システム利用者１は自身の製本用データ２１を編集することができる。システム利用者は、文字の方向、文字の大きさ、文字の色、紙の種類などのメニューの中から任意の項目を編集することができる。
【００４５】
［メール出版システムＷＥＢサイトの会員用ページの製本確認画面］
メール出版システムＷＥＢサイトの会員用ページの製本確認画面８３を図１９に示す。システム利用者１は自身の編集した製本用データ２１の確認をすることができ、製本する、他媒体に記録、のメニューの中から任意の項目を選択することができる。
【００４６】
［メール出版システムＷＥＢサイトの会員用ページの過去製本データ照会画面］
メール出版システムＷＥＢサイトの会員用ページの過去製本データ照会画面８４を図２０に示す。システム利用者１は自身が過去に製本した際の製本済みデータ２２を参照することができる。
【００４７】
［メール出版システムＷＥＢサイトの会員用ページのメール編集画面］
メール出版システムＷＥＢサイトの会員用ページのメール編集画面８５を図２１に示す。システム利用者１は記憶装置５に保存された自身のメールデータ１９を編集することができる。
【００４８】
［メール出版システムＷＥＢサイトの会員用ページのコメント編集画面］
メール出版システムＷＥＢサイトの会員用ページのコメント編集画面８６を図２２に示す。システム利用者１は自身のメールデータ１９に添えるコメントを編集することができる。
【００４９】
［メール出版システムＷＥＢサイトの会員用ページの添付データ編集画面］
メール出版システムＷＥＢサイトの会員用ページの添付データ編集画面８７を図２３に示す。システム利用者１は記憶装置５に保存された自身の添付データ２０を編集することができる。
【００５０】
［システム利用者に製本可能の旨を連絡するメールの内容］
システム利用者に製本可能の旨を連絡するメールの内容８８を図２４に示す。システム管理者側からシステム利用者１に送られた製本可能の旨を連絡するメールは図２４のように表示され、システム利用者１は製本するかどうかの問いに対して、はい、いいえの項目を選択することができる。
【００５１】
［システム利用者に製本依頼受付完了の旨を連絡するメールの内容］
システム利用者に製本依頼受付完了の旨を連絡するメールの内容８９を図２５に示す。システム管理者側からシステム利用者１に送られた製本依頼受付完了の旨を連絡するメールは図２５のように表示される。
【００５２】
［従来の技術の流れ］
従来の技術の一連の工程の流れを図２６に示す。実際にメールを製本しようとする人（以下製本者という）は、まず移動体通信端末２の中に保存されたメールデータを自身のパーソナルコンピュータ９０にインターネットを介して転送する。次に、パーソナルコンピュータの中に転送されたメールデータのテキストを印刷できる状態に編集９１する。次に、メールデータのテキストの中に含まれる絵文字データを印刷できる状態に編集９２する。次に、メールデータに添付されたデータを印刷できる状態に編集９３する。次に、編集し終えたメールデータ、および添付データを印刷用にレイアウト９４する。次に、こうして出来上がったデータをフレキシブルディスクやＣＤＲＯＭなどの記録媒体に保存９５する。次に、記録媒体に保存されたデータをもとに製本してくれる製本業者を選別し、実際に打ち合わせを行い９６、製本依頼を発注９７し、製本者が記録媒体に保存したデータを製本業者に送付９８する。そして製本が完了したら、その本は配送業者によって製本者のもとに届けられる。そして、この［従来の技術の全体図］を図２７に示す。
【発明の効果】
本発明のメール製本出版システムは、従来の携帯メール保存、管理、記帳、製本に対しての労力を削減し、本として出版する事により、相手に対する思い入れや、記憶の補助ツールとして人間と人間のより深いコミュニケーションに役立つ。
【図面の簡単な説明】
【図１】この発明の一実施形態を示す全体図である。
【図２】この発明の一実施形態を示すフローチャートである。
【図３】この発明のサーバ間の連携を示す図である。
【図４】この発明のＷＷＷサーバの働きを示す図である。
【図５】この発明のデータベースサーバの働きを示す図である。
【図６】この発明の出力サーバの働きを示す図である。
【図７】この発明の、システム利用者がメール出版システムに会員登録をする際のフローチャートである。
【図８】この発明の、システム利用者がメール出版物を出版する際のフローチャートである。
【図９】この発明のメール出版用データと実際に出版されたメール出版物との連携を示す図である。
【図１０】この発明の、移動体通信端末よりメール出版システムのＷＥＢサイトのトップページを見た図である。
【図１１】この発明の、移動体通信端末よりメール出版システムのＷＥＢサイトの会員登録画面を見た図である。
【図１２】この発明の、移動体通信端末よりメール出版システムのＷＥＢサイトのメール転送先設定画面を見た図である。
【図１３】この発明の、移動体通信端末よりメール出版システムのＷＥＢサイトの会員認証画面を見た図である。
【図１４】この発明の、移動体通信端末よりメール出版システムのＷＥＢサイトの会員用ページのトップページを見た図である。
【図１５】この発明の、移動体通信端末よりメール出版システムのＷＥＢサイトのメールデータ編集画面を見た図である。
【図１６】この発明の、移動体通信端末よりメール出版システムのＷＥＢサイトの会員の個人情報の変更画面を見た図である。
【図１７】この発明の、移動体通信端末よりメール出版システムのＷＥＢサイトの製本データ編集画面を見た図である。
【図１８】この発明の、移動体通信端末よりメール出版システムのＷＥＢサイトの製本データ編集画面の２ページ目を見た図である。
【図１９】この発明の、移動体通信端末よりメール出版システムのＷＥＢサイトの製本確認画面を見た図である。
【図２０】この発明の、移動体通信端末よりメール出版システムのＷＥＢサイトの過去製本データの照会画面を見た図である。
【図２１】この発明の、移動体通信端末よりメール出版システムのＷＥＢサイトのメールの編集画面を見た図である。
【図２２】この発明の、移動体通信端末よりメール出版システムのＷＥＢサイトのコメントの編集画面を見た図である。
【図２３】この発明の、移動体通信端末よりメール出版システムのＷＥＢサイトの添付データの編集画面を見た図である。
【図２４】この発明の、メール出版システムのシステム管理者からシステム利用者に送られた、製本可能の旨を知らせるメールを移動体通信端末より見た図である。
【図２５】この発明の、メール出版システムのシステム管理者からシステム利用者に送られた、製本申し込みが完了した旨を知らせるメールを移動体通信端末より見た図である。
【図２６】従来技術を示すフローチャートである。
【図２７】従来技術を示す全体図である。
【符号の説明】
１  メール出版システムの利用会員
２  メール出版システムを利用するにあたって必要な移動体通信端末
３  システム利用者のメールを転送するメールアドレス
４  システム利用者データを管理するサーバ
５  システム利用者の、メールデータ・添付データ・製本用データからなるメール出版用データを記憶する装置
６  システム利用者のメール出版用データを製本できるように自動編集し、格納するサーバ
７  移動体通信端末を用いてメール出版システムのＷＥＢサイトにアクセスする
８  移動体通信端末を用いてメール出版システムの会員登録をする
９  システム利用者のメールを転送するメールアドレスを通してデータベースサーバへメールを転送
１０  システム利用者が、移動体通信端末上のＷＥＢサイトから自身のメールデータを編集
１１  システム利用者がシステム管理者に、製本依頼を発注
１２  製本会社にて製本作業が完了
１３  製本が完了して出来上がった本をシステム利用者宅へ配送
１４  メール出版システムのＷＥＢサイトがアップロードされているサーバ
１５  システム利用者が閲覧するメール出版システムのＷＥＢサイト
１６  データベースサーバに内蔵されているシステム利用者データを管理するプログラム
１７  システム利用者の会員認証をするプログラム
１８  システム利用者ごとに分かれている、メール出版用データを格納する装置
１９  システム利用者から転送されたメールデータ
２０  システム利用者から転送された添付データ
２１  システム利用者に編集された、製本に必要なデータ
２２  製本が完了したメールデータのうち、日付が一番新しいもの１つを記憶する
２３  メール出版用データを印刷できる状態に自動変換する
２４  メールデータのタイトルから目次を自動生成し、システム利用者により登録された索引登録単語をもとに索引を自動生成する
２５  印刷用に自動変換されたメール出版用データをシステム利用者ごとに格納する
２６  移動体通信事業社によるインターネット接続サービス
２７  メール出版システムのＷＥＢサイトのメインメニュー
２８  メール出版システムのシステム利用者のみが閲覧できる会員用ページ
２９  会員用ページのメニューのうち、メールデータの編集をするための機能
３０  会員用ページのメニューのうち、システム利用者自身のの編集をするための機能
３１  会員用ページのメニューのうち、製本用データの編集をするための機能
３２  会員用ページのメニューのうち、過去に製本した際の情報を確認するための機能
３３  ＷＷＷサーバとデータベースサーバの間のデータのやりとり
３４  システム利用者の、ＷＥＢサイトからデータベースサーバへのアクセス
３５  メール出版システムへの会員登録および退会
３６  システム利用者のメールデータをデータベースサーバに転送
３７  メールデータ・添付データ・製本用データをデータベースサーバから取り出して編集する
３８  システム利用者から送られた製本依頼情報
３９  会員ごとに会員データを管理する
４０  転送されたメールデータ・添付データ、およびシステム利用者によって編集されたメール出版用データを記憶装置に転送する
４１  会員別のメール出版用データを記憶装置から取り出す
４２  記憶装置から取り出した会員別のメール出版用データを出力サーバに転送する
４３  出力サーバへ送られたメール出版用データ
４４  メールデータを印刷できるデータに自動変換する
４５  添付データを印刷できるデータに自動変換する
４６  製本の際に必要となる情報
４７  システム利用者の詳細な情報
４８  印刷可能な状態になったメール出版用データを転送
４９  印刷可能な状態になったメール出版用データをシステム利用者ごとに保存する
５０  システム利用者になる際に必要な規約への同意
５１  メール出版システムのＷＥＢサイトにアクセスした人が、自身の住所・氏名・連絡先などの詳細な情報を入力
５２  データベースサーバによる、システム利用者へのＩＤとパスワードの割り当て
５３  システム利用者がＩＤとパスワードを入力して会員ページへログイン
５４  出版の際に必要となるメールデータの転送先をシステム利用者が移動体通信端末により設定
５５  製本用データの初期編集
５６  システム利用者が移動体通信端末により製本用データを入力
５７  システム利用者がメール出版物の表紙の色を選択
５８  システム利用者がメール出版物の表紙の模様を選択
５９  システム利用者がメール出版物のタイトルを入力
６０  システム利用者がメール出版物に記載するペンネームを入力
６１  システム利用者がメール出版物に記載する序文を入力
６２  システム利用者がメール出版物に記載する索引を入力
６３  システム利用者が選択・入力したメール出版物に関する項目を確認
６４  本以外のフレキシブルディスク・ＣＤＲＯＭなどの記録媒体にメール出版用データを記録するかどうかを選択
６５  メール出版用データを印刷用に自動編集する
６６  フレキシブルディスク・ＣＤＲＯＭなどの記録媒体にメール出版用データを記録する
６７  メール出版用データ
６８  メール出版物に記載する目次と索引のデータ
６９  製本された際のメール出版用データと実際に出版された本の関係について
７０  システム利用者に選択された、横書きのレイアウト
７１  システム利用者に選択された、縦書きのレイアウト
７２  出版された本に印刷されたタイトル
７３  出版された本に印刷されたペンネーム
７４  メール出版システムのＷＥＢサイトのトップページ
７５  メール出版システムのＷＥＢサイトの会員登録画面
７６  メール出版システムのＷＥＢサイトのメール転送先設定画面
７７  メール出版システムのＷＥＢサイトのシステム利用者の会員認証画面
７８  メール出版システムのＷＥＢサイトの会員用ページのトップページ
７９  メール出版システムのＷＥＢサイトの会員用ページのメールデータ編集画面
８０  メール出版システムのＷＥＢサイトの会員用ページの会員の個人情報の変更画面
８１  メール出版システムのＷＥＢサイトの会員用ページの製本用データ編集画面
８２  メール出版システムのＷＥＢサイトの会員用ページの製本用データ編集画面の２ページ目
８３  メール出版システムのＷＥＢサイトの会員用ページの、システム利用者が選択・入力したメール出版物に関する項目を確認する画面
８４  メール出版システムのＷＥＢサイトの会員用ページの、システム利用者が過去に製本した際のデータを確認する画面
８５  メール出版システムのＷＥＢサイトの会員用ページの、メールデータのテキストを編集する画面
８６  メール出版システムのＷＥＢサイトの会員用ページの、メールデータに添えるコメントのテキストを編集する画面
８７  メール出版システムのＷＥＢサイトの会員用ページの、添付データを編集する画面
８８  メール出版システムのシステム管理者からシステム利用者に送られた、製本可能の旨を知らせるメール
８９  メール出版システムのシステム管理者からシステム利用者に送られた、製本申し込みが完了した旨を知らせるメール
９０  移動体通信端末の中に保存されているメールを自身が所持しているパーソナルコンピュータに転送
９１  パーソナルコンピュータに転送されたメールのテキストを編集
９２  パーソナルコンピュータに転送されたメールの絵文字データを編集
９３  パーソナルコンピュータに転送されたメールの添付データを編集
９４  パーソナルコンピュータに転送されたメールを印刷用にレイアウトする
９５  印刷用にレイアウトされたデータをフレキシブルディスク・ＣＤＲＯＭなどの記録媒体に保存する
９６  実際に製本してもらう製本業者を選別し、打ち合わせを行う
９７  製本依頼を製本業者に発注する
９８  製本業者に記録媒体に保存したデータを送付する
【図１】
2005025520.tif 000003
【図２】
2005025520.tif 000004
【図３】
2005025520.tif 000005
【図４】
2005025520.tif 000006
【図５】
2005025520.tif 000007
【図６】
2005025520.tif 000008
【図７】
2005025520.tif 000009
【図８】
2005025520.tif 000010
【図９】
2005025520.tif 000011
【図１０】
2005025520.tif 000012
【図１１】
2005025520.tif 000013
【図１２】
2005025520.tif 000014
【図１３】
2005025520.tif 000015
【図１４】
2005025520.tif 000016
【図１５】
2005025520.tif 000017
【図１６】
2005025520.tif 000018
【図１７】
2005025520.tif 000019
【図１８】
2005025520.tif 000020
【図１９】
2005025520.tif 000021
【図２０】
2005025520.tif 000022
【図２１】
2005025520.tif 000023
【図２２】
2005025520.tif 000024
【図２３】
2005025520.tif 000025
【図２４】
2005025520.tif 000026
【図２５】
2005025520.tif 000027
【図２６】
2005025520.tif 000028
【図２７】
2005025520.tif 000029